(57)【特許請求の範囲】
【請求項１】
「生理期」、「卵胞期」、「黄体期（前期）」、「黄体期（後期）」という一月を周期とする生体リズムが肌質と顔色に与える影響を、成人女性からなるモニターを対象として調査し、肌質と顔色に関するトラブルの項目ごとに、その項目のトラブルが、上記生体リズムのどの時期にどの程度の頻度で発生するかを表示した一覧表を備えたことを特徴とするベースメイクカウンセリング用情報表示手段。
【請求項２】
「閉経移行期」、「閉経期」、「閉経後期」という更年期における生体リズムが肌質と顔色に与える影響を、成人女性からなるモニターを対象として調査し、肌質と顔色に関するトラブルの項目ごとに、その項目のトラブルが、上記生体リズムのどの時期にどの程度の頻度で発生するかを表示した一覧表を備えた請求項１記載のベースメイクカウンセリング用情報表示手段。
【発明の詳細な説明】
【０００１】
【発明の属する技術分野】
本発明は、化粧品販売員等が顧客に対してベースメイクカウンセリングを行う際に用いるベースメイクカウンセリング用情報表示手段に関するものである。
【０００２】
【従来の技術】
従来から、化粧品販売では、専門の美容員が、店頭あるいは訪問販売先で、顧客に問診を行う等して顧客の肌の状態を特定した上で、その肌の状態に合った化粧料を推奨する、といういわゆるカウンセリングシステムが採用されているが、各メーカーが多種多様な化粧品を販売し、各メーカーがそれぞれ近似した構成と内容の手法でカウンセリングを行っているため、一般的なカウンセリング手法では、顧客に対する印象が弱く、顧客の購買力を引き出す力が弱いという問題がある。
【０００３】
そこで、本出願人は、女性の体に大きな影響を与える生体リズムに注目し、この生体リズムが皮膚に与える影響を分析して、その内容を盛り込んだ、全く新しいカウンセリングシステムを提案し、すでに出願している（特願平８−１３２４１８号、平成８年５月２７日出願）。
【０００４】
【発明が解決しようとする課題】
しかしながら、上記カウンセリングシステムの内容は、生体リズムの影響をうけた皮膚に対し、主としてスキンケアという観点から、水分補給や特定の皮膚マッサージを行うことをアドバイスするようにしたものであり、ファンデーションや、メイクアップ化粧料の選択については、何ら触れていない。
【０００５】
ところが、ごく最近の研究で、化粧くずれ等の悩みの殆どが、生体リズムの影響によるものであることや、ファンデーション選択の基準になる顔色が、生体リズムの影響を受けて微妙に変化するものであること等が判明した。このため、生体リズムの影響に適正に対処すれば、より効果的なベースメイク、あるいはメイクアップ仕上げを行うことができるのではないか、との要望があり、これに応えるようなカウンセリング方法の確立が強く望まれている。
【０００６】
本発明は、このような事情に鑑みなされたもので、生体リズムの影響を受けた肌に適したファンデーションの種類やファンデーションの塗布方法を提案するために用いられるベースメイクカウンセリング用情報表示手段の提供をその目的とする。
【０００７】
【課題を解決するための手段】
上記の目的を達成するため、本発明は、「生理期」、「卵胞期」、「黄体期（前期）」、「黄体期（後期）」という一月を周期とする生体リズムが肌質と顔色に与える影響を、成人女性からなるモニターを対象として調査し、肌質と顔色に関するトラブルの項目ごとに、その項目のトラブルが、上記生体リズムのどの時期にどの程度の頻度で発生するかを表示した一覧表を備えたベースメイクカウンセリング用情報表示手段を第１の要旨とする。
【０００８】
また、本発明は、上記ベースメイクカウンセリング用情報表示手段のなかでも、特に、「閉経移行期」、「閉経期」、「閉経後期」という更年期における生体リズムが肌質と顔色に与える影響を、成人女性からなるモニターを対象として調査し、肌質と顔色に関するトラブルの項目ごとに、その項目のトラブルが、上記生体リズムのどの時期にどの程度の頻度で発生するかを表示した一覧表を備えたベースメイクカウンセリング用情報表示手段を第２の要旨とする。
【０００９】
【発明の実施の形態】
つぎに、本発明の一実施の形態について説明する。
【００１０】
図１は、本発明の一実施の形態に用いられるベースメイクカウンセリング用の冊子を示している。
【００１１】
この冊子の表紙１には、このカウンセリング方法のシンボルマークとなる記号２が表示されており、その下に、「生体のリズムに基づいた新ファンデーション情報」という見出し３と、「女性の肌質と顔色は変化する」という小見出し４が表示されている。また、その下には、「肌質」の文字５と「顔色」の文字６が、ともに円に囲われてその円同士が一部重なった態様で示されている。したがって、このファンデーション情報の考え方では、「肌質」と「顔色」の２つがポイントになることがわかる。
【００１２】
そして、上記表紙１をめくって表われるつぎの頁の上部には、図２に示すように、「ファンデーションの肌悩み」という見出し７と、円グラフ８とが表示されており、その下に、９８８人の成人女性からなるモニターを対象として、ファンデーションに関する悩みの調査を行った結果、「化粧くずれ」、「化粧のりの悪さ」といった項目を悩みとしてもっている女性の割合が、上記円グラフ８に示すようであった旨の説明が表示されている。そして、これらの悩みの原因は、円グラフ８にも示すように、その８０％以上が「肌質」と「顔色」に由来するものであり、これを解決するには、「生体リズム」に基づく適正なカウンセリングが重要であること等の説明が表示されている（これらの説明については図示せず）。
【００１３】
そして、その右側の頁の上部には、図３に示すように、「一日のリズム」という概念を印象づけるための模式的なマーク９が表示されている。このマーク９は、「一日のリズム」の文字１０を上に配し、朝と夜という２つの変化を印象づける線グラフ的な図柄１１を下に配し、これらを四角枠１２で囲った構成になっており、四角枠１２の上に「一日には２つのリズム」という小見出し１３が付され、四角枠１２の下に「一日の素肌の活性状況をイメージしたラインです」の文１４が付されている。
【００１４】
また、上記マーク９の下には、「一日のリズム：女性の肌質と顔色は一日に２度変わる」という見出しが太字で表示されており（図示せず）、その下に、女性の肌質と顔色が、一日の間にどのように変化するかについての説明がなされている。すなわち、女性の肌は、前夜の２２時すぎから分泌される成長ホルモン等の影響で、夜中から徐々に肌本来の美しさが回復されていくが、起床時（通常、６〜７時頃）には、血行と水分がまだ正常化していないため、むくみやクマ、顔色の悪さ等が９時頃まで残っている。そして、昼前から１４時頃まで肌質も顔色も良好であるが、１４時を過ぎると、肉体的・精神的疲れから、肌質も顔色も徐々に悪くなって、夕方から夜にかけて、肌のトラブルがいろいろと出てくる。なお、一日のリズムによる肌質と顔色の変化は、一月のリズムや一年のリズムと連携しながら症状がでるので充分な注意が必要である。このような内容の説明がなされている。
【００１５】
そして、上記頁をめくって表われるつぎの頁の上部には、図４に示すように、「一月のリズム」という概念を印象づけるための模式的なマーク１５が表示されている。このマーク１５は、「月度（一月）のリズム」の文字１６を上に配し、一月を周期とする女性の基礎体温の変化を模した線グラフ的な図柄１７を下に配し、これらを四角枠１８で囲った構成になっており、四角枠１８の上に「一月には３つのリズム」という小見出し１９が付され、四角枠１８の下に「一月のホルモンの分泌をイメージしたラインです」の文２０が付されている。
【００１６】
また、上記マーク１５の下には、「一月のリズム：女性の肌質と顔色は一月に３度変わる」という見出しが太字で表示されており（図示せず）、その下に、女性の肌質と顔色が、一月の間にどのように変化するかについての説明がなされている。すなわち、まず、「生理期」には、不要になった「黄体」を排出する時期で、肉体的にエネルギーを必要とすることから、血行が悪くなる等の不具合や、精神的なダメージを受けるため、ファンデーションのノリが悪くなる等のトラブルが生じる。顔色も青白い状態になる。つぎの「卵胞期」は、不快な生理期が終わって回復に向かう時期であることから、新陳代謝も良好で、肌質がバランスのよい状態に保たれると考えられる。肌色も、最も美しい自分らしい肌色になる。そのつぎの「黄体期」は、排卵によりホルモンバランスが大きく変化する時期で、いわゆるＰＭＳ（月経前症候群）が表われる時期であるため、肌質もバランスが乱れるものと考えられる。この時期には、皮脂過剰気味になりやすく、化粧くずれのトラブルが多い。このような内容の説明がなされている。
【００１７】
そして、その右側の頁には、図５に示すように、上記「生理期」、「卵胞期」、「黄体期（前期）」、「黄体期（後期）」という一月のリズムが肌質と顔色に与える影響を、成人女性からなるモニター９８８人を対象として調査した結果が、一覧表２１として示されている。なお、●１個は、約１０名を示している（端数は四捨五入）。この一覧表２１によれば、肌質と顔色に関するトラブルは、「黄体期（前期）」および「黄体期（後期）」に最も多く、つぎに「生理期」に多いことがわかる。また、「卵胞期」には、殆どトラブルがなく、肌のバランスが良好になることがわかる。
【００１８】
また、図６に示すように、上記一覧表２１の下には、上記モニター９８８人の顔色を、「生理期」、「卵胞期」、「黄体期」の３つの時期に分けて色差計で測定し、その明度指数（Ｌ）と、赤み指数（ａ）と、黄み指数（ｂ）の変化が一目でわかるようにまとめたチャート２２が示されている。このチャート２２によれば、「黄体期」には、明度と赤みが低下して黄みが増加する傾向がみられ、「生理期」には、それが多少回復するがまだまだ不調で、「卵胞期」には、明度が上がり、黄みと赤みのバランスがとれた良好な肌色になることがわかる。
【００１９】
そして、上記頁をめくって表われるつぎの頁の上部には、図７に示すように、「一年のリズム」という概念を印象づけるための模式的なマーク２３が表示されている。このマーク２３は、「季節のリズム」の文字２４を上に配し、春夏秋冬という４つの季節の変化を印象づける線グラフ的な図柄２５を下に配し、これらを四角枠２６で囲った構成になっており、四角枠２６の上に「一年には４つのリズム」という小見出し２７が付され、四角枠２６の下に「素肌への影響の状況をイメージしたラインです」の文２８が付されている。
【００２０】
また、上記マーク２３の下には、「季節のリズム：女性の肌質と顔色は一年に２度変わる」という見出しが太字で表示されており（図示せず）、その下に、女性の肌質と顔色が、一年を通じてどのように変化するかについての説明がなされている。すなわち、まず、気温が上昇し、植物が芽吹いて成長する「春」、「夏」には、血行が良好で、肌質も活性化するため、トラブルが生じにくいのに対し、気温が下がり、空気が乾燥する「秋」、「冬」には、肌組織全体の活動が停滞気味になるため、肌のぱさつきを中心とするトラブルが生じやすい。また、顔色も、「春」、「夏」には、明度が高くなり、「秋」、「冬」には、明度が低下する傾向がみられる。このような内容の説明がなされている。
【００２１】
そして、その右側の頁の上部には、図８に示すように、「一生のリズム」という概念を印象づけるための模式的なマーク２９が表示されている。このマーク２９は、「加齢のリズム」の文字３０を上に配し、人の一生の変化を印象づける線グラフ的な図柄３１を下に配し、これらを四角枠３２で囲った構成になっており、四角枠３２の上に「一生には５つのリズム」という小見出し３３が付され、四角枠３２の下に「一生の素肌の活力状況をイメージしたラインです」の文３４が付されている。
【００２２】
また、上記マーク２９の下には、「一生のリズム：女性の肌質と顔色は一生に５度変わる」という見出しが太字で表示されており（図示せず）、その下に、女性の肌質と顔色が、一生を通じてどのように変化するかについての説明がなされている。すなわち、まず、２０代までの「成長期」は、生体活動の活発な時期で、肌質も活性化するため、トラブルが生じにくく、３０代の「成熟期」も、ホルモン等が満たされた状況で良好な肌の状態を維持するが、４０代の「壮年期」には、素肌の老化が始まり、５０代の「更年期」には、ホルモンバランスの変動に伴い、さまざまなトラブルが噴出する。一方、６０代以降の「悠悠期」には、素肌の活力こそ低下しているものの、肌質のトラブルはさほど問題にならない。また、顔色は、「成長期」、「成熟期」には、比較的明度が高いとともに、赤みが多く、明るい顔色であるが、「壮年期」には、やや明度が低下し、「更年期」には、赤みよりも黄みが増加して、顔色がくすんでくる。さらに、「悠悠期」には、より一層、明度が低下し、黄みが増加する傾向がみられる。このような内容の説明がなされている。
【００２３】
そして、上記頁をめくって表われるつぎの頁の上部には、図９に示すように、「更年期のリズム」という概念を印象づけるための模式的なマーク３５が表示されている。このマーク３５は、「更年期のリズム」の文字３６を上に配し、更年期の変化を印象づける線グラフ的な図柄３７を下に配し、これらを四角枠３８で囲った構成になっており、四角枠３８の上に「更年期には３つのリズム」という小見出し３９が付され、四角枠３８の下に「更年期状況を解りやすくイメージしたラインです」の文４０が付されている。
【００２４】
また、上記マーク３５の下には、「更年期のリズム：女性の肌質と顔色は更年期に３度変わる」という見出しが太字で表示されており（図示せず）、その下に、女性の肌質と顔色が、更年期の間にどのように変化するかについての説明がなされている。すなわち、更年期は、「閉経移行期」、「閉経期」、「閉経後期」の３つに分けることができ、まず、「閉経移行期」には、ホルモンバランスの急激な変化によって、ホットフラッシュによる化粧くずれ、血行不良による顔色の変化、急激な皮脂分泌、極度の乾燥等がランダムに生じる。また、「閉経期」も、同様の症状が続くが、特に、顔色に黄みを感じることが多くなる。そして、「閉経後期」もトラブルが生じやすいが、特に、肌の水分保留能力の低下から、ファンデーションの付きが極端に悪くなる傾向がみられる。そして、顔色も、さらに黄みが強くなる傾向がみられる。このような内容の説明がなされている。
【００２５】
そして、その右側の頁には、図１０に示すように、上記「閉経移行期」、「閉経期」、「閉経後期」という更年期のリズムが肌質と顔色に与える影響を、成人女性からなるモニター９８８人を対象として調査した結果が、一覧表４２として示されている。なお、この場合も、前記一覧表２１と同様、●１個は、約１０名を示している（端数は四捨五入）。この一覧表４２によれば、肌質と顔色に関するトラブルは、３つの時期を通じて、各種のトラブルがばらついた状態で頻繁に生じることがわかる。
【００２６】
また、図１１に示すように、上記一覧表４２の下には、上記モニター９８８人の顔色を、「閉経移行期」、「閉経期」、「閉経後期」の３つの時期に分けて色差計で測定し、その明度指数（Ｌ）と、赤み指数（ａ）と、黄み指数（ｂ）の変化が一目でわかるようにまとめたチャート４２′が示されている。このチャート４２′によれば、「閉経移行期」、「閉経期」、「閉経後期」と進むにつれて、明度が低下し、黄みが増加することがわかる。
【００２７】
このようにして、５種類の生体リズムによる肌質、顔色への影響を分析したのち、それらの変化の影響を受ける時期ごとに、影響によるトラブルを補うのに適したファンデーション（下地料、補正料等を含む）を分類した。そして、これらの情報を、ベースメイクカウンセリング情報として、さらに別の冊子にまとめた。
【００２８】
その上で、化粧品販売員（あるいは専門の美容担当員、カウンセラー等）は、顧客に対し、例えばつぎのようにしてカウンセリングを行うことができる。すなわち、まず、顧客に、肌質および顔色に影響を与える生体リズムの概要を説明し、生体リズムの影響を受けた肌に適したファンデーションを推奨する等のベースメイクカウンセリングを行うようにする。
【００２９】
このようにして、生体リズムという新しい観点から、顧客に対し、その顧客が生体リズムによって影響を受けた肌に適したファンデーションを推奨しながら、メイクカウンセリングを行い、顧客に対し、美容上優れた効果を与えることができる。
【００３０】
なお、単に、その顧客の生体リズムに適したファンデーションを推奨するだけでなく、その肌質・顔色に適したファンデーションの塗布方法をアドバイスすることにより、より優れた美容効果を与えることができる。もちろん、ファンデーションの推奨に代えて、顧客がすでに所有しているファンデーション等を利用して、生体リズムに適した塗布方法を実践するようアドバイスするようにしてもよい。それによっても、一定の美容効果を与えることができるからである。
【００３１】
この場合も、ファンデーションの最適な塗布方法を、生体リズムの影響を受けた肌質や顔色の状態に応じて、即座に提示ができるよう、ファンデーション情報と同様、冊子等に情報をまとめておくことが望ましい。
【００３２】
上記ファンデーションの塗布方法としては、例えば図１２に模式的に示される３つの方法を提示することができる。この図によれば、ファンデーションの塗布方法として、（１）のばして塗るストレッチテクニックと、（２）肌にシンクロさせて塗る（同調させて塗る）スメアーテクニックと、（３）肌に乗せて塗るゲットオンテクニック、の３種類のテクニックがあることがわかる。
【００３３】
より詳しく説明すると、上記ストレッチテクニックは、皮膚の伸びを考えたテクニックで、化粧の乗りの悪い「黄体期」や「更年期」に向いた塗布方法である。すなわち、ＰＭＳ期には皮脂の分泌が多くなりファンデーションと肌との密着がゆるみやすくなる。また、４０代以降には、皮膚表面と皮膚構造との結合がゆるみ、「伸び」が大きくなる。このような状態の皮膚に対し、片手を添えて皮膚を伸ばしながらファンデーションの塗布を行うと、化粧持ちが非常に良好となり、また、表情の変化によって顔の皮膚が動いたときにそれに追従してファンデーションも動くため、豊かな表情を強調することができる。
【００３４】
また、上記スメアーテクニックは、顔面へのファンデーションの塗り方を、図１３（ａ）に示すように、顔の中心部から外側に向かって塗る方法（アウトテクニック）と、同図（ｂ）に示すように、顔の周縁部から中心部に向かって塗る方法（インテクニック）とを組み合わせるようにしたもので、その組み合わせ方は、肌質の状態を見て、下記の表１に示すように実施することが好適である。
【００３５】
【表１】
0003697156.tif 000002
【００３６】
なお、しわの部分に対しては、そのしわが（１）外じわ（外に向かって延びるしわ）か、（２）中じわ（中に向かって延びるしわ）かを確認した上で、上記アウトテクニックかインテクニックを用いてファンデーションを塗布するようにする。このテクニックを、特に「リンクルシンクロテクニック」という。ちなみに、顔に表われる主要なしわの種類は、下記の表２に示されるようになっていることがわかっている。
【００３７】
【表２】
0003697156.tif 000003
【００３８】
つぎに、前記ゲットオンテクニックは、ニキビや肌あれといった特定のトラブルの部位に、ファンデーションを叩いて乗せることにより、その部位のトラブルを完全に覆うようにする塗布方法である。
【００３９】
さらに、顔色の補正についても、生体リズムの影響を受けた顔色に応じて、適宜の下地補正料等を用いるようアドバイスすることができる。例えば、赤みの増加を補正するために、グリーン系下地補正料の使用を提案したり、黄みの増加を補正するために、ピンク系下地補正料の使用を提案することができる。また、明度低下を補うために、白っぽいフェイスカラーをファンデーションに重ねて用いることを提案することができる。
【００４０】
なお、ベースメイクカウンセリングに関する情報は、カウンセリングを行う際、カウンセラーが即座に適切な情報を引き出すことができるよう、冊子にまとめられる外、ＴＶモニターや、ＣＲＴ，液晶モニター等の画像装置を利用したり、コンピュータを利用したりすることもできる。したがって、本発明において、「情報表示手段」とは、上記冊子、ＴＶモニターや、ＣＲＴ，液晶モニター等の画像装置、コンピュータのいずれかを指すものである。情報を、このように視覚的にまとめておけば、熟練者でなくても、だれでも、簡単に、高水準のカウンセリングを行うことができるという利点を有する。
【００４１】
【発明の効果】
以上のように、本発明のベースメイクカウンセリング用情報表示手段によれば、従来のベースメイクカウンセリングにはなかった、生体リズムという新しい観点から、ファンデーションの使用についてカウンセリングを行う際、顧客に対し、その人その人の生体リズムに合ったベースメイクの仕方を、適切な情報にもとづいてアドバイスすることができる。したがって、従来よりも優れた美容効果を与えることができる。そして、どの顧客も、多かれ少なかれ生体リズムの影響を受けているため、顧客のカウンセリングに対する関心を高めることができる。
【図面の簡単な説明】
【図１】  本発明の一実施例である冊子の説明図である。
【図２】  上記冊子の一部を示す説明図である。
【図３】  上記冊子の一部を示す説明図である。
【図４】  上記冊子の一部を示す説明図である。
【図５】  上記冊子の一部を示す説明図である。
【図６】  上記冊子の一部を示す説明図である。
【図７】  上記冊子の一部を示す説明図である。
【図８】  上記冊子の一部を示す説明図である。
【図９】  上記冊子の一部を示す説明図である。
【図１０】  上記冊子の一部を示す説明図である。
【図１１】  上記冊子の一部を示す説明図である。
【図１２】  本発明の一実施例において、ファンデーションの塗布方法を示す模式的な概念図である。
【図１３】  （ａ），（ｂ）は、ともに上記ファンデーションの塗布方法のなかでも特殊なテクニックの説明図である。
【図１】
0003697156.tif 000004
【図２】
0003697156.tif 000005
【図３】
0003697156.tif 000006
【図４】
0003697156.tif 000007
【図５】
0003697156.tif 000008
【図６】
0003697156.tif 000009
【図７】
0003697156.tif 000010
【図８】
0003697156.tif 000011
【図９】
0003697156.tif 000012
【図１０】
0003697156.tif 000013
【図１１】
0003697156.tif 000014
【図１２】
0003697156.tif 000015
【図１３】
0003697156.tif 000016